(57)【要約】【課題】端子部に対する電線の接触状態が不安定になりにくい端子装置及びそれを備えた配線器具を提供する。【解決手段】端子装置１は、端子部２と、押付部３と、鎖錠部４と、連結部５と、を備える。端子部２は導電性を有する。押付部３は、端子部２の一表面２０と対向するように配置され、挿入口１１から挿入方向に沿って挿入される電線１００を端子部２との間に挟み込む。鎖錠部４は、弾性を有し、端子部２の一表面２０と対向するように配置され、電線１００に接触して電線１００の挿入口１１側への移動を規制する。連結部５は、端子部２と押付部３とを連結する。【選択図】図１
2017183022.tif 000002
【特許請求の範囲】
【請求項１】
端子部と、
前記端子部の一表面と対向するように配置され、挿入口から挿入方向に沿って挿入される電線を前記端子部との間に挟み込む押付部と、
弾性を有し、前記端子部の前記一表面と対向するように配置され、前記電線に接触して前記電線の前記挿入口側への移動を規制する鎖錠部と、
前記端子部と前記押付部とを連結する連結部と、
を備える端子装置。
【請求項２】
前記挿入方向において、前記押付部と前記挿入口との間に前記鎖錠部が位置する
請求項１に記載の端子装置。
【請求項３】
前記連結部は、前記端子部のうち、前記挿入方向における前記挿入口とは反対側の端部と、前記押付部とを連結している
請求項１又は請求項２に記載の端子装置。
【請求項４】
前記連結部は、前記端子部のうち、前記挿入方向における前記挿入口とは反対側の端部から、前記挿入口とは反対側に突出している
請求項３に記載の端子装置。
【請求項５】
前記連結部は、前記押付部と前記端子部との対向方向及び前記挿入方向の両方を含む平面内で、前記挿入方向において前記挿入口とは反対側に凸となるように湾曲した湾曲部を有する
請求項４に記載の端子装置。
【請求項６】
前記押付部は複数設けられており、
前記複数の前記押付部の各々は、前記端子部との間に個別に前記電線を挟み込む
請求項１〜５のいずれか１項に記載の端子装置。
【請求項７】
前記押付部と前記連結部と前記端子部とは一体に形成されている
請求項１〜６のいずれか１項に記載の端子装置。
【請求項８】
前記押付部は、前記押付部と前記端子部との対向方向及び前記挿入方向の両方を含む平面内で、前記対向方向において前記端子部側に凸となるように湾曲した接触部を有する
請求項１〜７のいずれか１項に記載の端子装置。
【請求項９】
前記鎖錠部は、
前記挿入方向において前記挿入口から離れるほど前記端子部に近づくように前記端子部の前記一表面に対して傾斜しており、
前記端子部の前記一表面に最も近い先端縁にて前記電線に接触して前記電線の前記挿入口側への移動を規制する
請求項１〜８のいずれか１項に記載の端子装置。
【請求項１０】
前記端子部の前記一表面には、前記挿入方向に延びるガイド溝が形成されている
請求項１〜９のいずれか１項に記載の端子装置。
【請求項１１】
前記ガイド溝の底面は、前記挿入方向に直交する断面形状が、前記押付部と前記端子部との対向方向において前記押付部とは反対側に凸となるように湾曲した形状である
請求項１０に記載の端子装置。
【請求項１２】
前記端子部に対し、通常位置と解除位置との間で相対的に移動可能な解除部材を更に備え、
前記解除部材は、前記通常位置から前記解除位置に移動するとき、前記鎖錠部に対して前記端子部の前記一表面から離れる向きの力を作用させ、前記鎖錠部による前記電線の移動の規制を解除する
請求項１〜１１のいずれか１項に記載の端子装置。
【請求項１３】
請求項１〜１２のいずれか１項に記載の端子装置と、
前記端子装置を収納した器具本体と、
を備える配線器具。
【発明の詳細な説明】
【技術分野】
【０００１】
本発明は、一般に端子装置及びそれを備えた配線器具に関し、より詳細には電線が挿入されることにより電線との接続が行われる端子装置及びそれを備えた配線器具に関する。
【背景技術】
【０００２】
従来、スイッチ等の配線器具への電線の結線を容易にする目的で、ねじによらずに結線可能な、いわゆる速結構造の端子装置が知られている（例えば特許文献１参照）。
【０００３】
特許文献１に記載の端子装置は、導電材料からなる端子部（端子板）と、錠ばねとを備えている。端子部はＣ字状（コ字状）に形成され、錠ばねは端子部で囲まれた空間に収納されている。錠ばねは、弾性を有する板材を曲成することにより、中央片、鎖錠片及び押圧片が形成されている。鎖錠片及び押圧片は、中央片の両端部に形成されている。この端子装置では、電線が挿入口（電線挿入孔）から挿入されると、錠ばねのばね力により鎖錠片及び押圧片と、端子部の接触片との間に電線が挟持される。この状態で、鎖錠片の先端縁が電線に食い込むことによって電線が抜け止めされ、押圧片が電線を端子部の方へ押圧することにより端子部との間に電線を弾性挟持する。
【先行技術文献】
【特許文献】
【０００４】
【特許文献１】特開２００２−１５１１７２号公報
【発明の概要】
【発明が解決しようとする課題】
【０００５】
上述したような従来の端子装置では、端子部と、端子部に電線を押し付ける部材（錠ばねの押圧片）とは別部品であるから、例えば端子部と錠ばねとの組立精度、又は温度特性等によって、端子部に対する電線の押付力にばらつきが生じる可能性がある。その結果、端子部に対する電線の接触状態が不安定になることがある。
【０００６】
本発明は上記事由に鑑みてなされており、端子部に対する電線の接触状態が不安定になりにくい端子装置及びそれを備えた配線器具を提供することを目的とする。
【課題を解決するための手段】
【０００７】
本発明の一態様に係る端子装置は、端子部と、押付部と、鎖錠部と、連結部と、を備える。前記押付部は、前記端子部の一表面と対向するように配置され、挿入口から挿入方向に沿って挿入される電線を前記端子部との間に挟み込む。前記鎖錠部は、弾性を有し、前記端子部の前記一表面と対向するように配置され、前記電線に接触して前記電線の前記挿入口側への移動を規制する。前記連結部は、前記端子部と前記押付部とを連結する。
【０００８】
本発明の一態様に係る配線器具は、前記端子装置と、前記端子装置を収納した器具本体と、を備える。
【発明の効果】
【０００９】
本発明は、端子部に対する電線の接触状態が不安定になりにくい、という利点がある。
【図面の簡単な説明】
【００１０】
【図１】図１Ａは、本発明の実施形態１に係る端子装置の基本構成を示す正面図である。図１Ｂは、同上の端子装置の基本構成について電線の接続状態を示す、一部破断した正面図である。
【図２】図２Ａは、同上の端子装置の基本構成を示し、Ｙ軸の正の向きから見た斜視図である。図２Ｂは、同上の端子装置の基本構成を示し、Ｙ軸の負の向きから見た斜視図である。
【図３】図３Ａは、同上の端子装置の端子ブロックを示し、Ｙ軸の正の向きから見た斜視図である。図３Ｂは、同上の端子ブロックを示し、Ｙ軸の負の向きから見た斜視図である。
【図４】図４Ａは、同上の端子装置のばねブロックを示し、Ｙ軸の正の向きから見た斜視図である。図４Ｂは、同上のばねブロックを示し、Ｙ軸の負の向きから見た斜視図である。
【図５】図５は、同上の端子装置の全体構成を示し、Ｙ軸の正の向きから見た分解斜視図である。
【図６】図６Ａは、同上の端子装置の全体構成を示し、Ｙ軸の正の向きから見た斜視図である。図６Ｂは、同上の端子装置の全体構成を示し、Ｙ軸の負の向きから見た斜視図である。
【図７】図７は、同上の端子装置の全体構成を示す断面図である。
【図８】図８は、本発明の実施形態１に係る配線器具を示す斜視図である。
【図９】図９Ａは、本発明の実施形態２に係る端子装置を示し、Ｙ軸の正の向きから見た斜視図である。図９Ｂは、同上の端子装置を示し、Ｙ軸の負の向きから見た斜視図である。
【発明を実施するための形態】
【００１１】
（実施形態１）
（１）概要
実施形態１に係る端子装置１は、図１Ａ及び図１Ｂに示すように、電線１００が挿入されることにより電線１００との接続が行われる、いわゆる速結端子である。端子装置１は、導電性を有する端子部２を備えている。端子装置１では、端子部２に対して電線１００が接触することにより、端子部２と電線１００との間の電気的な接続が行われる。図１Ａは、電線１００が接続されていない状態の端子装置１のみを示し、図１Ｂでは、電線１００が接続された状態の端子装置１を想像線（２点鎖線）で示している。端子装置１は、例えばスイッチ又はコンセント（アウトレット）等の配線器具に用いられる。端子装置１を備えた配線器具１０（図８参照）については、「（２．７）配線器具」の欄で説明する。
【００１２】
端子装置１は、図１Ａ〜図２Ｂに示すように、端子部２の他に、押付部３と、鎖錠部４とを備えている。挿入口１１から挿入される電線１００が、端子部２と押付部３との間に差し込まれることで、端子部２に対して電線１００が電気的に接続される。また、電線１００は、端子部２と鎖錠部４との間に差し込まれることで、鎖錠部４によって挿入口１１側への移動が規制され、電線１００の抜け止めがなされる。ここにおいて、挿入口１１は、端子部２と、押付部３及び鎖錠部４との間に導入される電線１００が通る空間であればよく、端子装置１は、実体を伴う挿入口１１を備えている必要はなく、挿入口１１としての機能を備えていればよい。図１Ａ〜図２Ｂでは、実体を伴わない挿入口１１を例示している。又は、挿入口１１は、後述するケース８（図５参照）に形成された、実体を伴う挿入孔８１（図５参照）であってもよい。
【００１３】
ここで、電線１００が、導体からなる心線が絶縁被覆で覆われた絶縁電線である場合、絶縁被覆が剥かれた電線１００の先端部、つまり心線のみが、挿入口１１から挿入される。電線１００は、心線が１本の導体からなる単線と、心線が複数本の導線からなる撚り線とのいずれであってもよい。
【００１４】
（２）詳細
（２．１）基本構成
以下、端子装置１の基本構成について、図１Ａ〜図４Ｂを参照して詳しく説明する。
【００１５】
以下では、端子部２と押付部３とが対向する方向である「対向方向」をＸ軸方向とし、押付部３から見て端子部２側となる向きをＸ軸の正（プラス）の向きとして説明する。また、Ｘ軸方向と直交し、かつ電線１００が挿入される方向である「挿入方向」をＹ軸方向とし、電線１００が挿入される向きをＹ軸の正の向きとして説明する。さらに、Ｘ軸とＹ軸との両方に直交し、かつ端子装置１に接続される２本の電線１００が並ぶ方向（図１Ａの紙面に直交する方向）をＺ軸方向とし、図１Ａの紙面の手前側をＺ軸の正の向きとして説明する。ただし、これらの方向は端子装置１の使用方向を規定する趣旨ではない。また、図面中のＸ軸、Ｙ軸及びＺ軸の各方向を示す矢印は説明のために表記しているに過ぎず、実体を伴わない。また、対向方向と挿入方向とが厳密に９０度で直交していることは端子装置１に必須の構成ではなく、対向方向と挿入方向とは交差していればよい。
【００１６】
本実施形態に係る端子装置１は、電線１００を２本まで接続可能な２極型の端子装置である。すなわち、端子装置１は、挿入口１１が２つあり、これら２つの挿入口１１を通して２本の電線１００を同時に接続可能である。この端子装置１では、２本の電線１００は１つの端子部２に対して電気的に接続されるため、端子装置１に接続される２本の電線１００は端子部２を介して互いに電気的に接続されることになる。したがって、端子装置１は、例えば送り端子として用いられる。
【００１７】
端子装置１は、端子ブロック１２と、ばねブロック１３との２つの部材を備えている。端子ブロック１２及びばねブロック１３は別個の部材である。つまり、端子ブロック１２及びばねブロック１３は、互いに切り離され独立した部材である。端子ブロック１２には、端子部２及び押付部３が含まれている。ばねブロック１３には、鎖錠部４が含まれている。端子ブロック１２は、導電性を有する金属板からなる。ばねブロック１３は、弾性を有する金属板からなる。端子ブロック１２（押付部３）とばねブロック１３（鎖錠部４）とは、互いに異なる材料で構成されている。ばねブロック１３は、端子ブロック１２に囲まれた空間に収容されるように、端子ブロック１２と組み合わされる。
【００１８】
（２．２）端子ブロック
端子ブロック１２は、図３Ａ及び図３Ｂに示すように、端子部２及び押付部３に加えて、連結部５及び保持部６を有している。連結部５は、端子部２と押付部３とを連結する。連結部５は、端子部２のうち、Ｙ軸方向における挿入口１１とは反対側の端部と、押付部３とを連結している。つまり、端子部２及び押付部３は、Ｙ軸方向における挿入口１１とは反対側の端部（図３Ａでは上端部）同士が、連結部５にて互いに連結されている。
【００１９】
端子ブロック１２は、例えば銅（Ｃｕ）からなる。本実施形態では、端子装置１は２極型の端子装置であって、押付部３及び連結部５は複数（ここでは２つ）ずつ設けられている。ただし、端子装置１は、２つの押付部３（又は２つの連結部５）が並ぶＺ軸方向において、面対称となる構成を採用している。そのため、以下では、特に断りがない限り、２つの押付部３のうちの一方の押付部３について説明し、他方の押付部３についての説明は適宜省略する。同様に、２つの連結部５のうちの一方の連結部５について説明し、他方の連結部５についての説明は適宜省略する。
【００２０】
ここでは、押付部３と連結部５と端子部２と保持部６とは一体に形成されている。言い換えれば、端子部２と、２つの押付部３と、２つの連結部５と、保持部６とは、１枚の金属板からなる。本実施形態では、端子ブロック１２を構成する端子部２、押付部３、連結部５、及び保持部６は、１枚の金属板に打ち抜き加工及び曲げ加工が施されることにより形成されている。
【００２１】
端子部２は、矩形板状である。端子部２は、厚み方向（Ｘ軸方向）の一表面２０を押付部３と対向させるように構成されている。つまり、挿入口１１から挿入される電線１００は、端子部２の一表面２０と押付部３との間に導入され、端子部２の一表面２０に接触するようにして、端子部２と電気的に接続される。
【００２２】
端子部２の一表面２０には、Ｙ軸方向に延びるガイド溝２３が形成されている。ガイド溝２３は、一表面２０に沿う平面（Ｙ−Ｚ平面）内でのＹ軸方向以外への電線１００の移動を規制することにより、電線１００の移動方向をＹ軸方向に規制する。ガイド溝２３は、２本の電線１００に対応するように、端子部２の一表面２０に対して２つ形成されている。２つのガイド溝２３は、一表面２０におけるＺ軸方向の両端部に形成されている。ガイド溝２３の底面２３１は、挿入方向に直交する断面形状が、Ｘ軸の正の向きに凸となるように湾曲した形状である。ここでは、ガイド溝２３は、端子部２の一部を湾曲させて形成されている。
【００２３】
また、端子部２の一表面２０における中央部には、端子部２を厚み方向に貫通する開口窓２４が形成されている。開口窓２４は、開口形状が矩形状である。開口窓２４は、後述する解除部材９の一部を通すための孔である。
【００２４】
押付部３は、図１Ａ及び図１Ｂに示すように、端子部２の一表面２０における第１部位２１と、Ｘ軸方向（対向方向）に対向する位置に配置されている。ここでいう第１部位２１は、端子部２の一表面２０のうちで押付部３と対向する部位である。押付部３は、挿入口１１からＹ軸方向に沿って挿入される電線１００を、第１部位２１との間に挟み込むように構成されている。言い換えれば、挿入口１１から挿入された電線１００が、端子部２の一表面２０と押付部３との間に導入された状態で、押付部３は電線１００に対して一表面２０に押し付ける向きの力を作用させる。つまり、電線１００は、押付部３によって端子部２の一表面２０の第１部位２１に押し付けられることになり、端子部２と電線１００との間に適度な接触圧が生じる。
【００２５】
押付部３は、第１押付片３１と、第２押付片３２と、第３押付片３３とを有している。これら第１押付片３１、第２押付片３２及び第３押付片３３は、連結部５側（つまり挿入口１１とは反対側）から、第１押付片３１、第２押付片３２、第３押付片３３の順に、Ｙ軸方向に並んでいる。
【００２６】
第１押付片３１は、矩形板状であって、端子部２の一表面２０に略平行する。第１押付片３１のうち、Ｙ軸方向における挿入口１１とは反対側の端部は、連結部５に繋がっている。第１押付片３１のうち、Ｙ軸方向における挿入口１１側の端部には、第２押付片３２が繋がっている。第２押付片３２は、矩形板状であって、Ｙ軸方向において挿入口１１に近づくほど端子部２に近づくように、端子部２の一表面２０に対して傾斜している。第２押付片３２のうち、Ｙ軸方向における第１押付片３１とは反対側の端部には、第３押付片３３が繋がっている。第３押付片３３は、矩形板状であって、Ｙ軸方向において挿入口１１から離れるほど端子部２に近づくように、端子部２の一表面２０に対して傾斜している。
【００２７】
つまり、第３押付片３３は、第２押付片３２と共に、Ｚ軸方向に直交する断面形状が略Ｖ字状の構造を構成する。そして、押付部３は、第２押付片３２と第３押付片３３との連結部分からなる接触部３４において、端子部２の一表面２０に最も近くなる。言い換えれば、押付部３は、Ｘ軸方向及びＹ軸方向の両方を含む平面（Ｘ−Ｙ平面）内で、Ｘ軸方向において端子部２側に凸となるように湾曲した接触部３４を有している。ここでは、接触部３４は、所定の曲率半径で湾曲している。
【００２８】
連結部５は、図３Ａ及び図３Ｂに示すように、端子部２のうち、Ｙ軸方向における挿入口１１とは反対側の端部から、挿入口１１とは反対側に突出している。つまり、端子部２及び押付部３は、Ｙ軸方向における挿入口１１とは反対側の端部（図３Ａでは上端部）からＹ軸の正の向きに突出するように設けられた連結部５にて、互いに連結されている。
【００２９】
また、連結部５は、湾曲部５１を有している。湾曲部５１は、Ｘ軸方向及びＹ軸方向の両方を含む平面（Ｘ−Ｙ平面）内で、Ｙ軸方向において挿入口１１とは反対側に凸となるように湾曲している。ここでは、湾曲部５１は円弧状に湾曲している。湾曲部５１の内径は、押付部３の第１押付片３１と端子部２との間隔に略一致する。
【００３０】
さらに、連結部５のＺ軸方向の寸法は、押付部３のＺ軸方向の寸法より小さく設定されている。具体的には、連結部５は、端子部２のＺ軸方向の全長にわたって形成されるのではなく、端子部２のうち、ガイド溝２３が形成されている部分との干渉を避けるように形成されている。これにより、連結部５のＺ軸方向の寸法が押付部３のＺ軸方向の寸法と同一である場合に比べて、連結部５の弾性係数が低くなり、連結部５が撓みやすくなる。
【００３１】
保持部６は、端子部２と一体に形成され、端子部２との間に鎖錠部４（ばねブロック１３）を保持するように構成されている。保持部６は、端子部２のうち、Ｙ軸方向における連結部５とは反対側の端部から、突出するように設けられている。つまり、端子部２のうちＹ軸方向における挿入口１１側の端部（図３Ａでは下端部）に、保持部６が繋がっている。
【００３２】
保持部６は、第１保持片６１と、第２保持片６２と、第３保持片６３とを有している。これら第１保持片６１、第２保持片６２及び第３保持片６３は、端子部２側から、第１保持片６１、第２保持片６２、第３保持片６３の順に、繋がっている。本実施形態では、端子部２と第１保持片６１との連結部分、第１保持片６１と第２保持片６２との間の連結部分、及び第２保持片６２と第３保持片６３との間の連結部分（規制部６４）は、いずれも所定の曲率半径で湾曲している。
【００３３】
第１保持片６１は、矩形板状であって、端子部２からＸ軸の負の向きに突出する。第１保持片６１と端子部２とは、互いに略直交する。第１保持片６１のうち、Ｘ軸方向における端子部２とは反対側の端部は、第２保持片６２に繋がっている。第２保持片６２は、矩形板状であって、第１保持片６１からＹ軸の正の向きに突出する。第２保持片６２と第１保持片６１とは、互いに略直交する。第２保持片６２のうち、Ｙ軸方向における第１保持片６１とは反対側の端部には、第３保持片６３が繋がっている。第３保持片６３は、矩形板状であって、第２保持片６２からＸ軸の正の向きに突出する。第３保持片６３と第２保持片６２とは、互いに略直交する。
【００３４】
つまり、第２保持片６２は端子部２の一表面２０と対向し、第３保持片６３は第１保持片６１と対向する。詳しくは後述するが、保持部６は、第２保持片６２と第３保持片６３との連結部分からなる規制部６４にて、ばねブロック１３の位置決めを行う。ここで、第２保持片６２と端子部２とでは、Ｙ軸方向において略同等の長さとなるように寸法関係が規定されている。これにより、保持部６は、端子部２と共に、Ｚ軸方向に直交する断面形状が略矩枠状の構造を構成する。保持部６及び端子部２で囲まれた空間には、ばねブロック１３が収容される。また、第１保持片６１と第３保持片６３とでは、Ｘ軸方向において第３保持片６３の方が短くなるように寸法関係が規定されている。これにより、第３保持片６３と端子部２との間には隙間が形成される。押付部３は、この隙間を通して、第２保持片６２と端子部２との間の空間に導入されている。
【００３５】
また、第１保持片６１には、第１保持片６１を厚み方向に貫通する切欠孔６１１が形成されている。切欠孔６１１は、挿入口１１に対応する位置に形成されている。これにより、挿入口１１から挿入される電線１００は、切欠孔６１１を通して、保持部６と端子部２とに囲まれた空間内に導入可能となる。切欠孔６１１は、２本の電線１００に対応するように、第１保持片６１に対して２つ形成されている。２つの切欠孔６１１は、第１保持片６１におけるＺ軸方向の両端部に形成されている。
【００３６】
さらに、第１保持片６１の中央部には、第１保持片６１を厚み方向に貫通する貫通孔６１２が形成されている。貫通孔６１２は、開口形状が円形状である。貫通孔６１２は端子装置１に必須の構成ではなく、貫通孔６１２は省略されてもよい。
【００３７】
（２．３）ばねブロック
ばねブロック１３は、図４Ａ及び図４Ｂに示すように、鎖錠部４に加えて、延出部７を有している。ばねブロック１３は、例えばステンレス鋼（ＳＵＳ）からなる。ばねブロック１３は、端子ブロック１２よりも厚みの小さい（薄い）金属板にて構成されている。本実施形態では、端子装置１は２極型の端子装置であって、鎖錠部４は複数（ここでは２つ）設けられている。ただし、端子装置１は、２つの鎖錠部４が並ぶＺ軸方向において、面対称となる構成を採用している。そのため、以下では、特に断りがない限り、２つの鎖錠部４のうちの一方の鎖錠部４について説明し、他方の鎖錠部４についての説明は適宜省略する。
【００３８】
ここでは、鎖錠部４と延出部７とは一体に形成されている。言い換えれば、２つの鎖錠部４と、延出部７とは、１枚の金属板からなる。本実施形態では、ばねブロック１３を構成する鎖錠部４及び延出部７は、１枚の金属板に打ち抜き加工及び曲げ加工が施されることにより形成されている。
【００３９】
鎖錠部４は、図１Ａ及び図１Ｂに示すように、端子部２の一表面２０における第２部位２２と、Ｘ軸方向（対向方向）に対向する位置に配置されている。ここでいう第２部位２２は、端子部２の一表面２０のうちで、Ｙ軸方向において第１部位２１とは異なる部位であって、鎖錠部４と対向する部位である。Ｙ軸方向において、第１部位２１と挿入口１１との間に第２部位２２が位置する。つまり、第１部位２１及び第２部位２２は、挿入口１１側から、第２部位２２、第１部位２１の順に、Ｙ軸方向に並んでいる。
【００４０】
鎖錠部４は、挿入口１１からＹ軸方向に沿って挿入される電線１００に接触して、電線１００の挿入口１１側への移動を規制するように構成されている。言い換えれば、挿入口１１から挿入された電線１００が、端子部２の一表面２０と鎖錠部４との間に導入された状態で、鎖錠部４は第２部位２２との間に電線１００を挟み込むように構成されている。つまり、電線１００は、鎖錠部４によって端子部２の一表面２０の第２部位２２に押し付けられることになり、端子部２と電線１００との間に適度な接触圧が生じる。
【００４１】
ここでは、鎖錠部４は、矩形板状であって、Ｙ軸方向において挿入口１１から離れるほど端子部２に近づくように、端子部２の一表面２０に対して傾斜している。そして、鎖錠部４は、端子部２の一表面２０に最も近い先端縁４１にて、電線１００に接触して電線１００の挿入口１１側への移動を規制する。つまり、鎖錠部４は、延出部７との連結部分（ばね部４２）から、電線１００が挿入される向き（Ｙ軸の正の向き）に突出しており、その先端縁４１を端子部２の一表面２０に近づけるように、端子部２の一表面２０に対して傾斜している。そして、電線１００が、端子部２の一表面２０と鎖錠部４との間に導入された状態では、鎖錠部４は、先端縁４１にて電線１００と接触する。そのため、電線１００に対して、電線１００を挿入口１１側へ移動させる向き（Ｙ軸の負の向き）の力が作用すると、鎖錠部４の先端縁４１が電線１００に食い込むように、鎖錠部４が電線１００に引っ掛かることによって、電線１００の抜け止めがなされる。
【００４２】
延出部７は、図４Ａ及び図４Ｂに示すように、鎖錠部４のうち、Ｙ軸方向における挿入口１１側の端部（図４Ａでは下端部）から、挿入口１１とは反対側に突出している。つまり、ばねブロック１３のうち、鎖錠部４における先端縁４１とは反対側の端部から、Ｙ軸の正の向きに延びた部分が延出部７を構成する。鎖錠部４と延出部７との連結部分からなるばね部４２は、鎖錠部４に対して弾性力を作用させる。言い換えれば、ばねブロック１３は、Ｘ軸方向及びＹ軸方向の両方を含む平面（Ｘ−Ｙ平面）内で、Ｙ軸方向において挿入口１１側に凸となるように湾曲したばね部４２を有している。ここでは、ばね部４２は、所定の曲率半径で湾曲している。
【００４３】
延出部７は、第１延出片７１と、第２延出片７２とを有している。これら第１延出片７１及び第２延出片７２は、鎖錠部４側から、第１延出片７１、第２延出片７２の順に、繋がっている。
【００４４】
第１延出片７１は、矩形板状であって、図１Ａ及び図１Ｂに示すように、端子部２の一表面２０に略平行する。第１延出片７１のうち、Ｙ軸方向における挿入口１１側の端部は、鎖錠部４に繋がっている。第１延出片７１のうち、Ｙ軸方向における鎖錠部４とは反対側の端部は、第２延出片７２に繋がっている。第２延出片７２は、矩形板状であって、第１延出片７１からＸ軸の正の向きに突出する。第２延出片７２と第１延出片７１とは、互いに略直交する。
【００４５】
つまり、第２延出片７２は、第１延出片７１と共に、Ｚ軸方向に直交する断面形状が略Ｌ字状の構造を構成する。そして、ばねブロック１３は、第１延出片７１と第２延出片７２との連結部分からなる角部７３を、端子ブロック１２の規制部６４に接触させることにより、端子ブロック１２に対して位置決めがなされる。ただし、角部７３は規制部６４に常に接触しているのではなく、角部７３と規制部６４との間には隙間がある。つまり、ばねブロック１３が端子ブロック１２に対して相対的にＹ軸の正の向きに移動したときに、角部７３が規制部６４に対して接触し、ばねブロック１３の移動が規制されて、端子ブロック１２に対してばねブロック１３が位置決めされる。角部７３は、所定の曲率半径で湾曲している。
【００４６】
ここで、ばねブロック１３のＹ軸方向の寸法は、端子ブロック１２における第１保持片６１と第３保持片６３との間隔よりやや小さく規定されている。また、ばねブロック１３のＸ軸方向の寸法は、端子ブロック１２における端子部２と第２保持片６２との間隔よりやや大きく規定されている。これにより、ばねブロック１３は、Ｙ軸方向については若干のあそびがあり、Ｘ軸方向については圧縮された状態で、保持部６及び端子部２で囲まれた空間内に収納可能となる。つまり、ばねブロック１３が端子ブロック１２に組み合わされた状態では、鎖錠部４の先端縁４１を第１延出片７１に近づけるようにばね部４２が弾性変形し、ばねブロック１３がＸ軸方向に圧縮された状態となる。また、第２延出片７２と第３保持片６３とでは、Ｘ軸方向において略同等の長さとなるように寸法関係が規定されている。これにより、第２延出片７２と端子部２との間には、第２保持片６２と端子部２との間に押付部３を導入するための隙間が形成される。
【００４７】
また、第１延出片７１の中央部には、第１延出片７１を厚み方向に貫通する貫通孔７１１が形成されている。貫通孔７１１は、開口形状が円形状である。さらに、第１延出片７１には、第１延出片７１を厚み方向に貫通し、貫通孔７１１から鎖錠部４に向かって延びるスリット７１２が形成されている。スリット７１２は、ばね部４２を通して鎖錠部４の先端縁４１まで延びている。２つの鎖錠部４は、このスリット７１２にて、Ｚ軸方向に分離されている。貫通孔７１１は端子装置１に必須の構成ではなく、貫通孔７１１は省略されてもよい。
【００４８】
（２．４）寸法関係
次に、端子ブロック１２にばねブロック１３が組み合わされた状態での、端子部２、押付部３及び鎖錠部４の寸法関係について説明する。
【００４９】
図１Ｂに示すように、Ｘ軸方向において、押付部３と第１部位２１との間の距離である第１距離Ｌ１は、鎖錠部４と第２部位２２との間の距離である第２距離Ｌ２よりも大きく設定されている。本実施形態では、端子部２の一表面２０にガイド溝２３が形成されているため、第１距離Ｌ１、第２距離Ｌ２、及び後述する第３距離Ｌ３のいずれについても、ガイド溝２３の最深部の底面２３１を基準として規定する。すなわち、第１距離Ｌ１は、押付部３のうち端子部２の一表面２０に最も近くなる接触部３４と、端子部２の第１部位２１におけるガイド溝２３の最深部の底面２３１との間の距離である。同様に、第２距離Ｌ２は、鎖錠部４のうち端子部２の一表面２０に最も近くなる先端縁４１と、端子部２の第２部位２２におけるガイド溝２３の最深部の底面２３１との間の距離である。
【００５０】
また、押付部３のうち、Ｙ軸方向における挿入口１１側の端部、つまり第３押付片３３は、Ｙ軸方向において挿入口１１に近づくほど端子部２から離れるように、端子部２の一表面２０に対して傾斜している。すなわち、第３押付片３３は、接触部３４から離れるほどに端子部２から離れるように傾斜しているため、第３押付片３３における接触部３４とは反対側の端縁においては、端子部２からの距離が、接触部３４に比べて大きくなる。ここでは、Ｘ軸方向において、第３押付片３３における接触部３４とは反対側の端縁と、端子部２におけるガイド溝２３の最深部の底面２３１との間の距離を、第３距離Ｌ３と規定する。
【００５１】
要するに、第１距離Ｌ１、第２距離Ｌ２及び第３距離Ｌ３の関係では、第２距離Ｌ２よりも第１距離Ｌ１が大きくなり、第１距離Ｌ１よりさらに第３距離Ｌ３が大きくなる（Ｌ２＜Ｌ１＜Ｌ３）。
【００５２】
ところで、挿入口１１から挿入される電線１００の線径φＸは、第１距離Ｌ１よりも大きく、第３距離Ｌ３よりも小さいことが好ましい。ここでいう電線１００の線径φＸは、端子装置１に接続可能な電線として規定された電線１００の線径φＸである。電線１００が絶縁電線である場合は、挿入口１１から挿入される心線の直径が線径φＸとなる。第１距離Ｌ１、第２距離Ｌ２、第３距離Ｌ３及び線径φＸの関係では、第２距離Ｌ２よりも第１距離Ｌ１が大きくなり、第１距離Ｌ１よりも線径φＸが大きくなり、線径φＸよりさらに第３距離Ｌ３が大きくなる（Ｌ２＜Ｌ１＜φＸ＜Ｌ３）。なお、ここでいう線径φＸは、挿入口１１から挿入される電線１００の外径（絶縁電線の場合は心線の直径）を意味しており、例えばＩＥＣ（International Electrotechnical Commission）規格等に準拠し、適宜決定される。
【００５３】
（２．５）電線の接続方法
次に、上述したような構成の端子装置１に対して電線１００を接続する方法について、図１Ａ及び図１Ｂを参照して説明する。
【００５４】
作業者は、接続対象となる電線１００を、端子装置１に対して挿入口１１からＹ軸の正の向きに挿入する。電線１００が挿入されると、電線１００の先端は、まず、鎖錠部４と端子部２（第２部位２２）との間に導入される。ここにおいて、「（２．４）寸法関係」の欄で説明したように、第２距離Ｌ２と電線１００の線径φＸとの間には、「Ｌ２＜φＸ」という寸法関係がある。そのため、鎖錠部４が電線１００の先端に押されて、鎖錠部４の先端縁４１が端子部２の一表面２０から離れる向きに変位する。このとき、ばねブロック１３においては、ばね部４２の曲率半径が小さくなるようにばね部４２が弾性変形する。したがって、電線１００に対しては、鎖錠部４から、電線１００を端子部２に押し付ける向きの力が作用する。
【００５５】
この状態から電線１００が更に挿入されると、電線１００の先端は、押付部３と端子部２（第１部位２１）との間に導入される。ここにおいて、「（２．４）寸法関係」の欄で説明したように、第１距離Ｌ１と第３距離Ｌ３と電線１００の線径φＸとの間には、「Ｌ１＜φＸ＜Ｌ３」という寸法関係がある。そのため、電線１００の先端は、第３押付片３３にガイドされて、接触部３４と端子部２との間に誘い込まれることになる。そして、接触部３４が電線１００の先端に押されて押付部３の接触部３４が端子部２の一表面２０から離れる向きに変位する。このとき、端子ブロック１２においては、湾曲部５１の曲率半径が大きくなるように連結部５が弾性変形する。したがって、電線１００に対しては、押付部３から、電線１００を端子部２に押し付ける向きの力が作用する。
【００５６】
要するに、電線１００が所定の位置まで挿入された状態では、電線１００が押付部３にて端子部２の一表面２０（第１部位２１）に押し付けられるので、端子部２と電線１００との間に適度な接触圧が生じ、電線１００と端子部２とが電気的に接続される。さらに、この状態では、鎖錠部４の先端縁４１が電線１００に接触することによって、挿入口１１から電線１００が引き抜かれる向きへの電線１００の移動が規制され、電線１００の抜け止めがなされる。
【００５７】
ここにおいて、鎖錠部４の先端縁４１が端子部２の一表面２０から離れる向きに変位したときに、鎖錠部４が押付部３に接触しないように、鎖錠部４と押付部３との位置関係、及び鎖錠部４並びに押付部３の各々の寸法が規定されている。つまり、鎖錠部４の先端縁４１の軌跡上に押付部３が位置しないように、Ｙ軸方向における鎖錠部４及び押付部３の位置関係、及び鎖錠部４並びに押付部３の各々の寸法が規定されている。これにより、電線１００が挿入される際に、鎖錠部４と押付部３とは同時に変位するのではなく、先に鎖錠部４が変位し、その後に押付部３が変位することになる。したがって、鎖錠部４と押付部３とが同時に変位する構成に比べて、電線１００の挿入に必要な力の大きさが小さく抑えられる。このように鎖錠部４が押付部３に接触しないようにしながらも、Ｙ軸方向における第１部位２１と第２部位２２との間の距離は、極力小さいことが好ましい。第１部位２１と第２部位２２との間の距離が小さくなれば、挿入すべき電線１００の長さが短くなって、端子装置１の小型化につながる。
【００５８】
（２．６）全体構成
次に、図５〜図７を参照して、ケース８及び解除部材９を含む、端子装置１の全体構成について説明する。すなわち、端子装置１は、上述した端子ブロック１２及びばねブロック１３に加えて、ケース８及び解除部材９を更に備えている。
【００５９】
ケース８は、電気絶縁性を有する材料、例えば合成樹脂にて構成されている。ケース８は、端子ブロック１２及びばねブロック１３を収納する空間を有する箱状に形成されている。端子ブロック１２及びばねブロック１３がケース８に収納された状態で、少なくとも保持部６がケース８に対して固定される。本実施形態では、Ｙ軸の正の向き、及びＺ軸の正の向きとの２方向に開放された箱状のケース８を例示する。ケース８のうち挿入口１１に対応する位置には、ケース８の底板をＹ軸方向に貫通する挿入孔８１が形成されている。挿入孔８１は、開口形状が円形状であり、２本の電線１００に対応するように２つ形成されている。図５〜図６Ｂでは、挿入口１１の図示を省略しているが、このようなケース８を備える端子装置１においては、ケース８の挿入孔８１が挿入口１１に相当する。
【００６０】
また、ケース８のうち開口窓２４に対応する位置には、ケース８の側壁をＸ方向に貫通する操作窓８２が形成されている。操作窓８２は、後述する解除部材９の作用部９３を通すための孔である。操作窓８２の内側面のうち、Ｚ軸方向に対向する一対の内側面には、解除部材９を保持するための一対の軸受部８３が形成されている。一対の軸受部８３には、後述する解除部材９の軸部９１が挿入される。
【００６１】
解除部材９は、鎖錠部４による電線１００の移動の規制、つまり鎖錠部４による電線１００の抜け止めを解除するための部材である。解除部材９は、電気絶縁性を有する材料、例えば合成樹脂にて構成されている。解除部材９は、端子部２に対して、通常位置と解除位置との間で相対的に移動可能に構成される。解除部材９は、通常位置から解除位置に移動するとき、鎖錠部４に対して第２部位２２から離れる向きの力を作用させ、鎖錠部４による電線１００の移動の規制（抜け止め）を解除する。図６Ａ〜図７では、解除部材９が通常位置にある状態を表している。
【００６２】
具体的には、解除部材９は、軸部９１と、操作部９２と、作用部９３とを有している。軸部９１は、Ｚ軸方向に沿った円柱状に形成されている。解除部材９は、軸部９１のＺ軸方向の両端部が一対の軸受部８３に挿入されることによって、ケース８に対して軸部９１を中心として回転可能な状態で、ケース８に保持される。これにより、解除部材９は、軸部９１を中心として、通常位置と解除位置との間で回転（移動）可能となる。操作部９２は、解除部材９を通常位置から解除位置に移動させる際に操作される部分である。解除部材９は、少なくとも操作部９２の一部がケース８から露出するように、ケース８に保持されている。作用部９３は、解除部材９が通常位置から解除位置に移動する際に、鎖錠部４に対して第２部位２２から離れる向きの力を作用させる部分である。解除部材９は、少なくとも作用部９３の一部を、ケース８の操作窓８２及び端子部２の開口窓２４を通して、鎖錠部４の先端縁４１に対向させるように、ケース８に保持されている。
【００６３】
上記構成により、端子装置１と電線１００との接続を解除する場合、作業者は、解除部材９を操作することで、鎖錠部４による電線１００の抜け止めを解除して、挿入口１１から電線１００を抜去することができる。すなわち、解除部材９が通常位置にある状態から、作業者が操作部９２を図７に矢印Ａ１で示す向きに押すと、解除部材９が軸部９１を中心にして解除位置に移動する。このとき、作用部９３は、図７に矢印Ａ２で示す向きに移動し、鎖錠部４の先端縁４１に対して第２部位２２から離れる向きの力を作用させる。先端縁４１が第２部位２２から離れる向きに移動すると、鎖錠部４が電線１００から離れて、鎖錠部４による電線１００の移動の規制（抜け止め）が解除される。
【００６４】
また、本実施形態では、２つの鎖錠部４に対して、１つの解除部材９から同時に力が作用するように構成されている。つまり、解除部材９の作用部９３は、Ｚ軸方向において２つの鎖錠部４に跨る位置に配置されている。これにより、解除部材９が通常位置から解除位置に移動すると、２つの鎖錠部４に対して、第２部位２２から離れる向きの力が同時に作用し、２つの鎖錠部４について同時に抜け止めが解除される。
【００６５】
（２．７）配線器具
上述した構成の端子装置１は、例えば図８に示すような配線器具１０に用いられる。図８に例示する配線器具１０は、建物の壁などに取り付けて使用されるスイッチである。この配線器具１０は、直方体状の器具本体１０１と、器具本体１０１に収納された端子装置１とを備えている。図８の例では、器具本体１０１の前面にハンドル１０２が設けられている。この配線器具１０は、ハンドル１０２が押される度に、器具本体１０１内の接点のオン／オフが切り替わるように構成されている。
【００６６】
配線器具１０は、上述した構成の端子装置１を２つ備えている。２つの端子装置１は、それぞれ器具本体１０１の後面に挿入孔８１（図５参照）が露出するように、器具本体１０１に収納されている。これにより、配線器具１０においては、器具本体１０１の後面側から電線１００が挿入されることにより、電線１００の接続が可能になる。
【００６７】
ここで、端子装置１のケース８（図５参照）は、器具本体１０１の器体とは別体であってもよいし、器具本体１０１の器体の一部であってもよい。また、解除部材９（図７参照）は、少なくとも操作部９２（図７参照）の一部が器具本体１０１の器体から露出するように、器具本体１０１の器体又はケース８に保持される。
【００６８】
（３）利点
以上説明したように、第１の態様に係る端子装置１は、端子部２と、押付部３と、鎖錠部４と、連結部５と、を備える。押付部３は、端子部２の一表面２０と対向するように配置され、挿入口１１から挿入方向（Ｙ軸方向）に沿って挿入される電線１００を端子部２との間に挟み込む。鎖錠部４は、弾性を有し、端子部２の一表面２０と対向するように配置され、電線１００に接触して電線１００の挿入口１１側への移動を規制する。連結部５は、端子部２と押付部３とを連結する。
【００６９】
この構成によれば、電線１００は、押付部３と端子部２との間、及び鎖錠部４と端子部２との間の２箇所で保持されるので、挿入方向（Ｙ軸方向）に対して電線１００が傾きにくくなる。そのため、電線１００は、電線１００の硬さによらず端子部２に対して面接触することが可能となり、電線１００と端子部２との接触状態が安定する。電線１００と端子部２との接触状態が安定すれば、電線１００と端子部２との間の接触抵抗も安定し、接触抵抗が高くなることによる端子部２の温度上昇が抑制される。しかも、端子部２との間に電線１００を挟み込むことにより電線１００を端子部２に押し付ける押付部３は、連結部５によって端子部２に連結されている。言い換えれば、押付部３は端子部２と一部品として扱うことができる。そのため、端子部２と押付部３とが別部品である構成に比べて、端子部２に対する電線１００の押付力にばらつきが生じにくく、結果的に、端子装置１では、端子部２に対する電線１００の接触状態が不安定になりにくい、という利点がある。
【００７０】
また、第２の態様に係る端子装置１は、第１の態様において、挿入方向（Ｙ軸方向）において、押付部３と挿入口１１との間に鎖錠部４が位置することが好ましい。この構成によれば、挿入口１１に近い位置で鎖錠部４が電線１００の抜け止めを行い、挿入口１１に遠い位置で押付部３が電線１００を端子部２に押し付ける。したがって、電線１００に対して挿入方向（Ｙ軸方向）に直交する向きの力が作用しても、端子部２に対する電線１００の押付力は安定し、端子部２と電線１００との接触状態が安定しやすくなる。ただし、この構成は端子装置１に必須の構成ではなく、例えば、挿入方向（Ｙ軸方向）において、鎖錠部４と挿入口１１との間に押付部３が位置してもよい。
【００７１】
また、第３の態様に係る端子装置１は、第１又は２の態様において、連結部５は、端子部２のうち、挿入方向（Ｙ軸方向）における挿入口１１とは反対側の端部と、押付部３とを連結していることが好ましい。この構成によれば、挿入口１１から挿入される電線１００と連結部５との干渉が生じにくく、連結部５の設計の自由度が高くなる。ただし、この構成は端子装置１に必須の構成ではなく、例えば、連結部５は、端子部２のうち、挿入方向（Ｙ軸方向）における挿入口１１側の端部と、押付部３とを連結していてもよい。又は、連結部５は、端子部２のうち、Ｚ軸方向における一端部と、押付部３とを連結していてもよい。
【００７２】
また、第４の態様に係る端子装置１は、第３の態様において、連結部５は、端子部２のうち、挿入方向（Ｙ軸方向）における挿入口１１とは反対側の端部から、挿入口１１とは反対側に突出していることが好ましい。この構成によれば、連結部５の突出量の分だけ、押付部３が変位する際の支点から押付部３までの距離が大きくなるため、連結部５の変形量（撓み量）を小さく抑えながらも、押付部３の変位量を大きく確保することができる。したがって、接続可能な電線１００の線径φＸの幅が広くなる。ただし、この構成は端子装置１に必須の構成ではなく、例えば、連結部５は、端子部２のうち、挿入方向（Ｙ軸方向）における挿入口１１とは反対側の端部から、突出していなくてもよい。
【００７３】
また、第５の態様に係る端子装置１は、第４の態様において、連結部５は、押付部３と端子部２との対向方向及び挿入方向の両方を含む平面内で、挿入方向において挿入口１１とは反対側に凸となるように湾曲した湾曲部５１を有することが好ましい。この構成によれば、押付部３の変位時に連結部５にかかる応力が湾曲部５１にて分散され、連結部５に応力集中が生じにくいため、連結部５の塑性変形が生じにくく、押付部３の押付力が維持されやすくなる。ただし、この構成は端子装置１に必須の構成ではなく、例えば、連結部５は湾曲部５１を有しなくてもよい。
【００７４】
また、第６の態様に係る端子装置１は、第１〜５のいずれかの態様において、押付部３は複数（実施形態１では２つ）設けられており、複数の押付部３の各々は、端子部２との間に個別に電線１００を挟み込むことが好ましい。この構成によれば、複数の挿入口１１からそれぞれ挿入される複数の電線１００に対して、押付部３が個別に押付力を作用させるため、電線１００に対する押付部３の追従性が向上し、電線１００と端子部２との接触状態が安定する。ただし、この構成は端子装置１に必須の構成ではなく、例えば、１つの押付部３が端子部２との間に、複数の挿入口１１からそれぞれ挿入される複数の電線１００を挟み込む構成であってもよい。
【００７５】
また、第７の態様に係る端子装置１は、第１〜６のいずれかの態様において、押付部３と連結部５と端子部２とは一体に形成されていることが好ましい。この構成によれば、押付部３は、連結部５を介して端子部２と電気的に導通することになり、電線１００は、端子部２と押付部３とのいずれに接触しても、端子部２と電気的に接続される。そのため、電線１００と端子部２との間の接触抵抗がより安定する。ただし、この構成は端子装置１に必須の構成ではなく、例えば、押付部３と連結部５と端子部２とは別体であってもよい。
【００７６】
また、第８の態様に係る端子装置１は、第１〜７のいずれかの態様において、押付部３は、押付部３と端子部２との対向方向及び挿入方向の両方を含む平面内で、対向方向において端子部２側に凸となるように湾曲した接触部３４を有することが好ましい。この構成によれば、押付部３は接触部３４にて電線１００に接触することにより、電線１００が挿入方向（Ｙ軸方向）に移動する際に引っ掛かりが生じにくく、スムーズな電線１００の挿入及び抜去が可能になる。ただし、この構成は端子装置１に必須の構成ではなく、例えば、押付部３は湾曲した接触部３４を有しなくてもよい。
【００７７】
また、第９の態様に係る端子装置１は、第１〜８のいずれかの態様において、鎖錠部４は、挿入方向（Ｙ軸方向）において挿入口１１から離れるほど端子部２に近づくように端子部２の一表面２０に対して傾斜していることが好ましい。この場合、鎖錠部４は、端子部２の一表面２０に最も近い先端縁４１にて電線１００に接触して電線１００の挿入口１１側への移動を規制することが好ましい。この構成によれば、挿入口１１から電線１００が挿入されるだけで、鎖錠部４が電線１００の先端に押されて、鎖錠部４の先端縁４１が端子部２の一表面２０から離れる向きに変位する。したがって、解除部材９が操作されていない状態での電線１００の挿入が可能である。ただし、この構成は端子装置１に必須の構成ではなく、例えば、鎖錠部４は上記形状とは異なる形状であってもよい。
【００７８】
また、第１０の態様に係る端子装置１は、第１〜９のいずれかの態様において、端子部２の一表面２０には、挿入方向（Ｙ軸方向）に延びるガイド溝２３が形成されていることが好ましい。この構成によれば、一表面２０に沿う平面内での挿入方向（Ｙ軸方向）以外への電線１００の移動が、ガイド溝２３にて規制されることになるので、電線１００の挿入作業の作業性が向上する。とくに、電線１００が複数本の導線からなる心線を有する撚り線である場合には、電線１００がガイド溝２３内を通ることで、心線を構成する複数本の導線がばらばらになりにくい。ただし、この構成は端子装置１に必須の構成ではなく、ガイド溝２３は省略されてもよい。
【００７９】
また、第１１の態様に係る端子装置１は、第１０の態様において、ガイド溝２３の底面２３１は、挿入方向（Ｙ軸方向）に直交する断面形状が、押付部３と端子部２との対向方向において押付部３とは反対側に凸となるように湾曲した形状であることが好ましい。この構成によれば、電線１００は、ガイド溝２３の幅方向（Ｚ軸方向）の中心を通りやすくなる。とくに、電線１００が複数本の導線からなる心線を有する撚り線である場合には、心線を構成する複数本の導線が、よりばらばらになりにくい。ただし、この構成は端子装置１に必須の構成ではなく、例えば、ガイド溝２３の底面２３１はＶ字状であってもよい。
【００８０】
また、第１２の態様に係る端子装置１は、第１〜１１のいずれかの態様において、端子部２に対し、通常位置と解除位置との間で相対的に移動可能な解除部材９を更に備えることが好ましい。解除部材９は、通常位置から解除位置に移動するとき、鎖錠部４に対して端子部２の一表面２０から離れる向きの力を作用させ、鎖錠部４による電線１００の移動の規制を解除することが好ましい。この構成によれば、解除部材９の操作によって、鎖錠部４による電線１００の移動の規制を解除した状態で、容易に電線１００の抜去が可能となる。ただし、この構成は端子装置１に必須の構成ではなく、例えば、解除部材９は省略されてもよい。
【００８１】
また、第１３の態様に係る端子装置１は、第１〜１２のいずれかの態様において、押付部３と鎖錠部４とは別個の部材であることが好ましい。この構成によれば、端子部２との間に電線１００を挟み込むことにより電線１００を端子部２に押し付ける押付部３と、電線１００の抜け止めを行う鎖錠部４とは、互いに切り離され独立した部材である。そのため、例えば電線１００が挿入される際に、電線１００から鎖錠部４に力が作用しても、この力が鎖錠部４から押付部３に伝わらず、端子部２に対する電線１００の押付力は安定しやすくなる。その結果、端子装置１では、端子部２に対する電線１００の接触状態が不安定になりにくい、という利点がある。ただし、この構成は端子装置１に必須の構成ではなく、例えば、押付部３と鎖錠部４とは一体化されていてもよい。
【００８２】
また、第１４の態様に係る端子装置１は、第１〜１３のいずれかの態様において、押付部３と端子部２との対向方向において、第１距離Ｌ１は、第２距離Ｌ２よりも大きいことが好ましい。第１距離Ｌ１は、押付部３と端子部２の一表面２０との間の距離である。第２距離Ｌ２は、鎖錠部４と端子部２の一表面２０との間の距離である。この構成によれば、押付部３及び端子部２間の間隔が、鎖錠部４及び端子部２間の間隔より広いため、押付部３は電線１００の挿入方向（Ｙ軸方向）への移動を阻害しにくく、スムーズな電線１００の挿入及び抜去が可能になる。ただし、この構成は端子装置１に必須の構成ではなく、例えば、第１距離Ｌ１は第２距離Ｌ２以下であってもよい。
【００８３】
また、第１５の態様に係る端子装置１は、第１〜１４のいずれかの態様において、押付部３のうち、挿入方向（Ｙ軸方向）における挿入口１１側の端部は、端子部２の一表面２０に対して傾斜していることが好ましい。この場合、押付部３のうち、挿入方向（Ｙ軸方向）における挿入口１１側の端部は、挿入方向において挿入口１１に近づくほど端子部２から離れるように傾斜していることが好ましい。この構成によれば、電線１００の挿入時、電線１００の先端が、押付部３のうち、挿入方向（Ｙ軸方向）における挿入口１１側の端部にガイドされて、押付部３と端子部２との間に誘い込まれるので、電線１００の挿入が容易になる。ただし、この構成は端子装置１に必須の構成ではなく、例えば、押付部３のうち、挿入方向（Ｙ軸方向）における挿入口１１側の端部は、端子部２の一表面２０に対して傾斜していなくてもよい。
【００８４】
また、第１６の態様に係る端子装置１は、第１〜１５のいずれかの態様において、端子部２と一体に形成された保持部６を更に備え、保持部６は、鎖錠部４を含むばねブロック１３を端子部２との間に保持することが好ましい。この構成によれば、端子部２に対する鎖錠部４の相対的な位置が保持部６にて規定されるので、鎖錠部４による電線１００の抜け止めが安定して行われる。さらに、保持部６が金属材料からなることで、例えば合成樹脂製のケース８等で鎖錠部４が保持される場合に比べると、端子部２に対する鎖錠部４の相対的な位置に、温度変化等による変化が生じにくい。ただし、この構成は端子装置１に必須の構成ではなく、例えば、保持部６が省略され、ケース８等でばねブロック１３が保持されてもよい。
【００８５】
また、第１７の態様に係る端子装置１は、第１６の態様において、保持部６は、規制部６４を有することが好ましい。規制部６４は、ばねブロック１３に対して、挿入方向（Ｙ軸方向）において挿入口１１とは反対側から接触し、かつ押付部３と端子部２との対向方向（Ｘ軸方向）において端子部２とは反対側から接触することが好ましい。この構成によれば、ばねブロック１３は、挿入口１１及び端子部２から離れる向きの移動が規制部６４にて規制されるので、電線１００の挿入時におけるばねブロック１３の位置が安定し、鎖錠部４による電線１００の抜け止めが安定して行われる。ただし、この構成は端子装置１に必須の構成ではなく、例えば、規制部６４が省略され、ケース８等でばねブロック１３の移動が規制されてもよい。
【００８６】
また、第１８の態様に係る端子装置１は、第１〜１７のいずれかの態様において、押付部３と鎖錠部４とは互いに異なる材料からなることが好ましい。この構成によれば、電線１００を端子部２に押し付けるための押付部３と、電線１００の抜け止めを行うための鎖錠部４とのそれぞれについて、最適な材料を適用することができる。例えば、押付部３については優れた導電性を有する材料、鎖錠部４については優れた弾性を有する材料を、適用可能である。ただし、この構成は端子装置１に必須の構成ではなく、押付部３と鎖錠部４とは同一の材料であってもよい。
【００８７】
また、配線器具１０は、第１〜１８のいずれかの態様に係る端子装置１と、端子装置１を収納した器具本体１０１とを備える。この構成によれば、配線器具１０において、端子部２に対する電線１００の接触状態が不安定になりにくい、という利点がある。ただし、端子装置１は、配線器具１０用に限らず、例えば家電機器等の電気機器に用いられてもよいし、端子装置１単体で用いられてもよい。
【００８８】
（４）変形例
実施形態１に係る端子装置１は、本発明の一例に過ぎず、本発明は、実施形態１に限定されることはなく、実施形態１以外であっても、本発明に係る技術的思想を逸脱しない範囲であれば、設計等に応じて種々の変更が可能である。以下に、実施形態１の変形例を列挙する。
【００８９】
ガイド溝２３は、実施形態１のように端子部２の一部を湾曲させて形成される構成に限らず、例えば切削加工により端子部２の一表面２０を削って形成される構成であってもよい。
【００９０】
また、端子ブロック１２を構成する端子部２、押付部３、連結部５、及び保持部６は、１枚の金属板が曲げ加工されることにより形成される構成に限らず、例えば押出成形などで形成されてもよい。同様に、ばねブロック１３を構成する鎖錠部４及び延出部７は、１枚の金属板が曲げ加工されることにより形成される構成に限らず、例えば押出成形などで形成されてもよい。
【００９１】
また、接触部３４が所定の曲率半径で湾曲していることは端子装置１に必須の構成ではなく、例えば接触部３４が角張っていてもよい。同様に、保持部６の各角部、及び延出部７の各角部においても、所定の曲率半径で湾曲していることは端子装置１に必須の構成ではなく、例えば角張っていてもよい。ばね部４２についても、所定の曲率半径で湾曲していることは端子装置１に必須の構成ではなく、例えば角張っていてもよい。
【００９２】
また、端子ブロック１２は導電性を有していればよく、端子ブロック１２の材料は銅に限らず、例えば黄銅、すず（Ｓｎ）青銅、又はりん（Ｐ）青銅等の銅合金などであってもよい。同様に、ばねブロック１３は弾性を有していればよく、ばねブロック１３の材料はステンレス鋼に限らず、例えば鉄（Ｆｅ）又は銅合金などであってもよい。端子ブロック１２（押付部３）とばねブロック１３（鎖錠部４）とは、同一の材料で構成されていてもよい。
【００９３】
また、端子装置１は、電線１００を２本まで接続可能な２極型の端子装置に限らず、例えば３本の電線１００を接続可能な３極型、又は４本の電線１００を接続可能な４極型等、３本以上の電線１００を接続可能な端子装置であってもよい。この場合、端子装置１においては、押付部３、鎖錠部４及び連結部５は、極数と同じ数だけ設けられることが好ましい。つまり、３極型の端子装置１においては、押付部３、鎖錠部４及び連結部５は３つずつ設けられることが好ましい。
【００９４】
また、押付部３と連結部５と端子部２とが一体でなくてもよく、押付部３と連結部５と端子部２とは別体であってもよい。具体的には、別体に構成された押付部３と連結部５と端子部２とが、例えば、かしめ、溶接、又は圧着等により結合されていてもよい。
【００９５】
また、実施形態１では、解除部材９は電線１００の抜去時にのみ操作されるように説明したが、電線１００の挿入時に操作されてもよい。つまり、作業者は、端子装置１に電線１００を接続する際、解除部材９を操作して鎖錠部４の先端縁４１を端子部２の一表面２０から離れる向きに変位させた状態で、電線１００を挿入してもよい。
【００９６】
（実施形態２）
本実施形態に係る端子装置１Ａは、電線を１本だけ接続可能な単極型の端子装置である。以下、実施形態１と同様の構成については、共通の符号を付して適宜説明を省略する。
【００９７】
端子装置１Ａは、図９に示すように、実施形態１に係る端子装置１（図６Ａ及び図６Ｂ参照）をＺ軸方向に２等分した構成に相当する。すなわち、端子装置１Ａは、挿入口１１が１つだけあり、１つの挿入口１１を通して１本の電線１００を接続可能である。この端子装置１Ａでは、１本の電線１００が１つの端子部２に対して電気的に接続される。端子装置１Ａにおいては、押付部３、鎖錠部４及び連結部５は１つずつ設けられている。
【００９８】
以上説明した本実施形態の端子装置１Ａにおいても、実施形態１と同様に、端子部２に対する電線１００の接触状態が不安定になりにくい、という利点がある。また、端子装置１Ａは、実施形態１と同様に、配線器具１０（図８参照）に用いられてもよい。
【００９９】
実施形態２の構成は、実施形態１の構成（変形例を含む）と適宜組み合わせて適用可能である。
【符号の説明】
【０１００】
１，１Ａ  端子装置
２  端子部
３  押付部
４  鎖錠部
５  連結部
９  解除部材
１０  配線器具
１１  挿入口
２０  一表面
２３  ガイド溝
３４  接触部
４１  先端縁
５１  湾曲部
１００  電線
１０１  器具本体
２３１  底面
【図１】
2017183022.tif 000003
【図２】
2017183022.tif 000004
【図３】
2017183022.tif 000005
【図４】
2017183022.tif 000006
【図５】
2017183022.tif 000007
【図６】
2017183022.tif 000008
【図７】
2017183022.tif 000009
【図８】
2017183022.tif 000010
【図９】
2017183022.tif 000011